(57)【要約】      （修正有）【課題】竜頭が引き出された位置にあるときのシーリングを改善した竜頭を提供する。【解決手段】竜頭は、チューブ１と、カバー６と軸方向の裾部７を有するキャップ５と、ねじ込まれ又は押し込まれたチューブ１とキャップ５の軸方向の裾部７の間に配置されたシーリングガスケット１４と、及びキャップ５に固定され、ねじ込まれ又は押し込まれたチューブ１に対して異なる軸方向の位置に配置されることができるアセンブリーをパイプ８とともに形成するパイプ８とを有し、竜頭は、さらに、ねじ込まれ又は押し込まれたチューブ１の一端と一体化されたガイドリング１８を有し、ガイドリング１８には、キャップの軸方向の位置のうちの１つにおいてシーリングガスケット１４に対して軸方向の圧力を与えるように構成している支え面１９がある。【選択図】図１
2018031774.tif 000002
【特許請求の範囲】
【請求項１】
計時器のためのセッティング用の竜頭であって、
チューブ（１）と、
カバー（６）と軸方向の裾部（７）を有するキャップ（５）と、
前記チューブ（１）と前記キャップ（５）の前記軸方向の裾部（７）の間に配置されたシーリングガスケット（１４）と、及び
前記キャップ（５）に固定され、前記チューブ（１）に対して異なる軸方向の位置に配置されることができるアセンブリーを前記パイプ（８）とともに形成するパイプ（８）とを有し、
当該竜頭は、さらに、前記チューブ（１）の一端と一体化されたガイドリング（１８）を有し、
前記ガイドリング（１８）には、前記のパイプ／キャップのアセンブリーの軸方向の位置のうちの１つにおいて前記シーリングガスケット（１４）に対して軸方向の圧力を与えるように構成している支え面（１９）がある
ことを特徴とする竜頭。
【請求項２】
前記支え面（１９）は、傾斜している
ことを特徴とする請求項１に記載の竜頭。
【請求項３】
前記支え面（１９）は、前記チューブ（１）の外面（２２）に続いて配置され、
前記支え面（１９）及び前記チューブ（１）の前記外面（２２）は、鈍角を形成している
ことを特徴とする請求項１又は２に記載の竜頭。
【請求項４】
さらに、前記キャップ（５）の前記軸方向の裾部（７）の内側に配置されたスペーサー（１５）を有し、
前記ガイドリング（１８）には、前記スペーサー（１５）に対して滑るように構成している側面（２０）がある
ことを特徴とする請求項１〜３のいずれかに記載の竜頭。
【請求項５】
前記ガイドリング（１８）の前記側面（２０）と前記スペーサーの間の摩擦係数は、０．２以下である
ことを特徴とする請求項４に記載の竜頭。
【請求項６】
前記ガイドリング（１８）は、熱可塑性材料で作られている
ことを特徴とする請求項１〜５のいずれかに記載の竜頭。
【請求項７】
前記ガイドリング（１８）は、セラミックスで作られている
ことを特徴とする請求項１〜５のいずれかに記載の竜頭。
【請求項８】
前記ガイドリング（１８）は、金属で作られている
ことを特徴とする請求項１〜５のいずれかに記載の竜頭。
【請求項９】
前記ガイドリング（１８）は、前記チューブ（１）の端に押される
ことを特徴とする請求項１〜８のいずれかに記載の竜頭。
【請求項１０】
前記チューブ（１）は、前記竜頭が引き出された位置にあるときに、０．２ｍｍ〜１．５ｍｍ、好ましくは、０．２ｍｍ〜１．０ｍｍの残余の長さ（Ｌ）にわたって前記パイプ（８）のガイド面（２３）に対して当接するように動くように構成しているガイドコンジット（２４）を有する
ことを特徴とする請求項１〜９のいずれかに記載の竜頭。
【請求項１１】
請求項１〜１０のいずれかに記載の竜頭を有する
ことを特徴とする計時器。
【発明の詳細な説明】
【技術分野】
【０００１】
本発明は、計時器のための竜頭に関する。
【背景技術】
【０００２】
現在、時計の分野において、腕時計のメインばねの巻き、時間や日付の設定のような様々な機能を確実に行うために竜頭が用いられている。竜頭、特に、ねじ込み式の竜頭は、ねじ込まれていない位置において、様々ないくつかの軸方向の位置となることができ、その軸方向の位置のそれぞれが１つの調整モードを可能にする。また、ねじ込まれた位置において、計時器のシーリングを確実に強化する。
【０００３】
ねじ込み式の竜頭は、一般的に、以下のものを有する。すなわち、
−  腕時計ケースにねじ込まれ又は押し込まれることを意図されており、腕時計ケースの外側に突き出る部分にねじ山があるチューブ
−  カバー及び軸方向の裾部を有するキャップ
−  キャップと一体化されており、チューブのねじ山にねじ込まれるように意図されたねじ山がある中央のパイプ
−  中央パイプ内に収容され、制御ステムと係合することができ、中央パイプが滑るように構成しているピストン
−  キャップとピストンの間で軸方向に圧縮されるばね
である。
【０００４】
キャップは、一般的に、以下の３つの軸方向の位置に配置される。すなわち、
−  第１の軸方向の位置を「ねじ込まれた」位置と呼び、この位置においては、中央パイプのねじ山がチューブのねじ山にねじ込まれる。第１の位置は、ユーザーが竜頭を操作する必要がない場合に用いられる。
−  第２の軸方向の位置を「ねじ込まれておらず引き出されていない」位置と呼び、この位置においては、中央パイプのねじ山がチューブのねじ山に係合しなくなっている。この位置は、一般的に、ユーザーがセッティング用の竜頭を用いてメインばねを巻くことを望むときに用いられる。そして、ユーザーはキャップのねじを緩め、このキャップは、ばねの作用の下で、ピストンと制御ステムを噛み合わせる。
−  第３の軸方向の位置を「ねじ込まれておらず引き出された」位置と呼び、この位置においては、中央パイプのねじ山は、チューブのねじ山に係合しておらず、キャップは、ねじ込まれておらず引き出されていない位置に対して引き出されている。これは、制御ステムを第２のアクティブ位置にする。第２のアクティブ位置によって、例えば、腕時計の時刻をセットするような調整を行うことが可能になる。
【０００５】
竜頭のシーリングを確実にするために、キャップの軸方向の裾部とチューブの間にシーリングガスケットが配置される。このシーリングガスケットは、キャップの軸方向の裾部と一体化されたスペーサーとリングの間で軸方向に保持される。ねじ込まれた位置において、ガスケットは、竜頭がねじ込まれた位置にあるときにシール特性が最良であるように、チューブの膨らみによって過度圧縮される。
【０００６】
しかし、竜頭がねじ込まれておらず引き出された位置にある場合、ガスケットは過度圧縮されず、これによって、このような使用条件の下でユーザーが水に腕時計を浸すと、特に、竜頭が竜頭に対して半径方向の力によって応力を与えられたときに、ポンプとチューブの間に特定量の水が浸透してしまうリスクがある。また、竜頭がねじ込まれていない位置にあるときに、ガイドチューブは、キャップをあまり有効にガイドしない。
【発明の概要】
【発明が解決しようとする課題】
【０００７】
本発明は、特に、竜頭がねじ込まれておらず引き出された位置にあるときに、シーリングが改善された竜頭を提案することによって、従来技術の課題を克服することを目的とする。
【０００８】
また、本発明は、ガイドが改善された竜頭を提案することを目的とする。
【課題を解決するための手段】
【０００９】
これを達成するために、本発明の第１の態様にしたがって、計時器のためのセッティング用の竜頭を提案する。この竜頭は、チューブと、カバーと軸方向の裾部を有するキャップと、ねじ込まれ又は押し込まれた前記チューブと前記キャップの前記軸方向の裾部の間に配置されたシーリングガスケットと、前記キャップに固定され、ねじ込まれ又は押し込まれた前記チューブに対して異なる軸方向の位置に配置されることができるアセンブリーを前記パイプとともに形成するパイプと、及びねじ込まれ又は押し込まれた前記チューブの一端と一体化されたガイドリングとを有し、前記ガイドリングには、前記のパイプ／キャップのアセンブリーの軸方向の位置のうちの１つにおいて前記シーリングガスケットに対して軸方向の圧力を与えるように構成している支え面がある。
【００１０】
当該セッティング用の竜頭は、さらに、独立して又はすべての技術的に可能な組み合わせで選択される以下の特徴の１つ又は複数を有することができる。
【００１１】
好ましいことに、当該竜頭は、さらに、キャップと一体化された止めリングを有し、シーリングガスケットは、少なくとも１つの軸方向の位置にてガイドリングと止めリングの間で圧縮される。
【００１２】
好ましいことに、前記キャップ／パイプのアセンブリーを、ねじ込まれ又は押し込まれたチューブに対して以下の少なくとも２つの軸方向の位置に配置することができる。すなわち、
−  第１の軸方向の位置においては、キャップカバーは、ガイドリングから第１の距離に位置する。ガイドリングは、好ましくは、この第１の軸方向の位置において、カバーの内面に対向するように安定配置される。
−  第２の軸方向の位置においては、キャップカバーは、ガイドリングから第２の距離に位置し、第２の距離は、第１の距離よりも大きい。支え面は、好ましくは、この第２の軸方向の位置において、シーリングガスケットに圧力を与える。
【００１３】
好ましいことに、ガイドリングによるシーリングガスケットの圧縮が最適であるように、支え面が傾斜している。
【００１４】
好ましいことに、前記支え面は、ねじ込まれ又は押し込まれた前記チューブの外面に続いて配置され、前記支え面及び前記チューブの前記外面は、鈍角を形成している。これによって、支え面がシーリングガスケットを圧縮するときにシーリングガスケットを損傷しないようにすることが可能になる。
【００１５】
好ましいことに、当該竜頭は、さらに、前記キャップの前記軸方向の裾部の内側に配置されたスペーサーを有し、前記ガイドリングには、前記スペーサーに対して滑るように構成している側面がある。これによって、ガイドリングがより良好にキャップをガイドすることが可能になる。
【００１６】
好ましいことに、前記ガイドリングの前記側面と前記スペーサーの間の摩擦係数は、０．２以下である。
【００１７】
異なる実施形態によると、以下の特徴がある。
−  前記ガイドリングは、充填され又は充填されていない熱可塑性材料又は複合材料で作ることができる。
−  前記ガイドリングは、セラミックスで作ることができる。
−  前記ガイドリングは、金属で作ることができる。
【００１８】
好ましいことに、前記ガイドリングは、ねじ込まれ又は押し込まれた前記チューブの端に押される。
【００１９】
好ましいことに、前記ガイドリングは、キャップがねじ込まれ又は押し込まれたチューブにねじ込まれているときに中央パイプの横断方向の肩部に当接するように動くように構成している横断方向の面を有する。
【００２０】
好ましいことに、ねじ込まれ又は押し込まれた前記チューブは、前記竜頭がねじ込まれておらず引き出された位置にあるときに、０．２ｍｍ〜１．５ｍｍ、好ましくは、０．２ｍｍ〜１．０ｍｍの残余の長さにわたって前記パイプのガイド面に対して当接するように動くように構成しているガイドコンジットを有する。したがって、パイプとねじ込まれ又は押し込まれたチューブの間の接触長は、この残余の長さ未満であることはない。これによって、これらの２つの部品の間の横方向の運動を回避することができる。
【００２１】
本発明の第２の態様は、本発明の第１の態様に係る竜頭を有する計時器に関する。
【００２２】
添付の図面を参照しながら好ましい実施形態（例であってこれに制限されない）についての下記の詳細な説明から、本発明の他の特徴及び利点を明確に理解できるであろう。
【図面の簡単な説明】
【００２３】
【図１】ねじ込まれた位置にある本発明の一実施形態に係る竜頭の半分断面図である。
【図２】ねじ込まれておらず引き出されていない位置にある図１の竜頭の半断面図である。
【図３】ねじ込まれておらず引き出された位置にある図１の竜頭の半断面図である。
【図４】第１の位置にある本発明の別の実施形態に係る竜頭の半断面図である。
【図５】第２の位置にある図４の竜頭の半断面図である。
【発明を実施するための形態】
【００２４】
図１〜３を参照しながら第１の実施形態に係る竜頭について説明する。
【００２５】
この竜頭は、腕時計のケース中間部にねじ込まれ又は押し込まれることによって、腕時計ケース（図示せず）に固定されるように意図されたチューブ１を有する。図示した例において、チューブ１は、ケース中間部にねじ込まれる。チューブ１は、基準軸２に対して回転対称性がある。チューブ１には、ねじ山３がある。この実施形態において、ねじ山３は、チューブ１の内壁４に接するように配置される。
【００２６】
竜頭は、さらに、キャップ５を有する。キャップ５は、カバー６と軸方向の裾部７を有する。軸方向の裾部には、基準軸２に対する回転対称性がある。カバー６と軸方向の裾部７は、空洞を定める。竜頭は、さらに、キャップ５における空洞内に挿入されたパイプ８を有する。パイプ８は、好ましくは、キャップ５と一体化されている。パイプ８には、チューブ１のねじ山３にねじ込まれるように構成しているねじ山９がある。この実施形態において、パイプ８のねじ山９は、パイプ８の外側壁１０に配置される。
【００２７】
竜頭を以下のような異なる位置に配置することができる。
−  図１に示した「ねじ込まれた」位置として知られている位置においては、パイプ８のねじ山９がチューブ１のねじ山３にねじ込まれている。
−  図２に示した「ねじ込まれておらず引き出されていない」位置においては、パイプ８のねじ山９がチューブ１のねじ山３にねじ込まれておらず、キャップ５は、チューブ１に対して第１の軸方向の位置を占める。この第１の軸方向の位置では、キャップ５のカバー６は、チューブ１から第１の距離だけ離れている。
−  図３に示す「ねじ込まれておらず引き出された」位置として知られている位置においては、パイプ８のねじ山９が、チューブ１のねじ山３にねじ込まれておらず、キャップ５もチューブ１に対して引き出されており、これによって、チューブ１に対して第２の軸方向の位置を占める。この第２の軸方向の位置では、キャップ５のカバー６は、チューブ１から第２の距離だけ離れており、第２の距離は、第１の距離よりも大きい。
【００２８】
この例示的実施形態において、竜頭は、さらに、パイプ８における中央開口内に収容されるピストン１１を有する。竜頭は、さらに、一方ではキャップ／パイプのアセンブリーによって定められ、他方ではピストンによって定められる空洞内に配置されたばね１２を有する。ばね１２は、キャップ５のカバー６とピストン１１の肩部１３の間で軸方向に圧縮され、特に、キャップ５がピストン１１の肩部１３から離れることが可能になる。ピストン１１は、腕時計ケース内に収容される計時器用ムーブメントの制御ステム（図示せず）にキャップ５を運動学的に接続する。この制御ステムによって、チューブ１に対するキャップ５の軸方向の位置に応じた異なる動作をユーザーが行うことが可能になる。したがって、制御ステムによって、キャップ５がねじ込まれておらず引き出されていない位置にあるときに、時計を巻くことが可能になり、他方で、制御ステムによって、キャップ５がねじ込まれておらず引き出された位置にあるときに、時刻の変更のような特定の変更を行うことが可能になる。
【００２９】
竜頭は、さらに、キャップ５の軸方向の裾部７とチューブ１の間に挿入されたシーリングガスケット１４を有する。これによって、竜頭のシーリングを確実にする。図１〜３の実施形態において、シーリングガスケット１４は、Ｏリングジョイントである。この例において、シーリングガスケット１４は、キャップ５の軸方向の裾部７の内壁に対向するように位置するスペーサー１５と、止めリング１６との間にて軸方向に保持される。変形態様の１つによると、スペーサー１５及び／又は止めリング１６は、軸方向の裾部７と一体化されていることができる。
【００３０】
図１に示すように、竜頭がねじ込まれた位置にある場合、シーリングガスケット１４は、チューブ１における膨らみ１７によって過度圧縮され、これによって、竜頭がねじ込まれた位置にあるときに竜頭のシール特性が最良となる。
【００３１】
竜頭は、さらに、チューブ１の端と一体化されたガイドリング１８を有する。これは、キャップ５のカバー６に対向するように配置される。ガイドリング１８は、好ましくは、チューブ１の端に押される。また、ガイドリング１８は、チューブ１に対して接合又は他の方法で固定されることができる。
【００３２】
ガイドリング１８には、竜頭が図３に示すようなねじ込まれておらず引き出された位置にあるときにシーリングガスケット１４に圧力を与えることができる支え面１９がある。このように、ねじ込まれておらず引き出された位置において、シーリングガスケット１４は、一方における止めリング１６と、他方におけるスペーサー１５とガイドリング１８との間で圧縮される。これを達成するために、支え面１９は、好ましくは、基準軸２に対して傾斜している。すなわち、ガイドリング１８にベベルが形成されている。
【００３３】
チューブ１の外面２２に続いて支え面１９が配置されており、この支え面１９がチューブ１の外面２２と鈍角を形成している。これによって、支え面１９がシーリングガスケット１４を圧縮するときにシーリングガスケット１４を損傷しないようにする。このように、ガイドリング１８は、ねじ込まれておらず引き出された位置にある竜頭のシーリングを向上させる。
【００３４】
また、ガイドリング１８には、スペーサー１５に対して滑るように構成している側面２０がある。このスペーサー１５によって、ガイドリング１８がキャップ５のガイドを改善させることが可能になる。このように、実際に、キャップ５は、キャップ５が１つの軸方向の位置から別の軸方向の位置へと変わるときに、ガイドリング１８の側面２０によってガイドされる。ガイドリング１８は、キャップ５の角変位を制限する。
【００３５】
これを達成するために、ガイドリング１８の側面２０とスペーサーの間の摩擦係数は、０．２以下である。
【００３６】
これを達成するために、異なる実施形態において、例えば、以下の特徴を有することができる。
【００３７】
−  スペーサーがステンレス鋼、金、チタンのような金属材料で作られている場合、ガイドリングも上記の同じ材料の中から選ぶことができる。
【００３８】
−  スペーサーがステンレス鋼、金、チタンのような金属材料で作られている場合、ガイドリングは、構造がガンマ線、アニーリングなどによって処理することによって変えられた又は構造が変えられていない、ポリエーテルエーテルケトン、ポリアミド、ポリオキシメチレン、炭素繊維強化プラスチックのような充填された又は充填されていない熱可塑性材料又は複合材料で作ることができる。
【００３９】
−  スペーサーがステンレス鋼、金、チタンのような金属材料で作られている場合、ガイドリングは、ＺｒＯ2、Ａｌ2Ｏ3、Ｓｉ3Ｎ4、ＴｉＣ又はこれらの混合物のようなセラミックスで作ることができる。
【００４０】
−  スペーサーが、構造がガンマ線、アニーリングなどによって処理することによって変えられた又は構造が変えられていない、ポリエーテルエーテルケトン、ポリアミド、ポリオキシメチレン、炭素繊維強化プラスチックのような充填された又は充填されていない熱可塑性材料又は複合材料で作られている場合、ガイドリングは、ＺｒＯ2、Ａｌ2Ｏ3、Ｓｉ3Ｎ4、ＴｉＣ又はこれらの混合物のようなセラミックスで作ることができる。
【００４１】
なお、スペーサーとリングに対して言及した前記材料の対は、もちろん逆にすることができる。
【００４２】
ガイドリング１８には、さらに、竜頭が図１に示すようなねじ込まれた位置にあるときにキャップ５のカバー６に当接して動くことができる横断方向の面２１を設けることができる。
【００４３】
再び、キャップ５のガイドを改善するために、チューブ１は、竜頭がねじ込まれておらず引き出された位置（図３）にあるときに、０．２ｍｍ〜１．５ｍｍ、好ましくは、０．２ｍｍ〜１．０ｍｍの残余の長さＬにわたって、パイプ８のガイド面２３に当接するように動くことができるガイドコンジット２４を有することが好ましい。したがって、チューブ１とパイプ８の間の接触長は、チューブ１内のパイプ８のガイドを最適化するために、この残余の長さＬ未満であることはない。
【００４４】
当然、本発明は、図を参照しながら説明した実施形態に制限されず、本発明の範囲から逸脱せずに様々な変形態様を想到することができる。したがって、図４及び５は、キャップ５がチューブ１に対して以下の２つの異なる軸方向の位置のみをとることができるような別の実施形態を示している。すなわち、図４に示した基本的な位置と、図５に示した引き出された位置である。基本的な位置では、ガイドリング１８は、キャップ５のカバー６に当接しており、キャップはチューブ１にねじ込まれていない。引き出された位置では、ガイドリング１８の支え面１９は、シーリングガスケット１４に対して圧力を与える。そして、シーリングガスケット１４は、支え面１９、スペーサー１５及び止めリング１６の間で圧縮される。
【００４５】
また、キャップの軸方向の裾部の内壁に対向しているスペーサーが竜頭にない場合にも、本発明を実装することができる。この場合に、ガイドリングの側面は、最小の摩擦で、軸方向の裾部の内壁に対して直接滑るように構成している。
【００４６】
また、ガイドリングと、及びねじ込まれ又は押し込まれたチューブとが単一の一体化された部品を形成することを想到することができる。
【００４７】
最後に、本発明は、図１〜３に示すようなチューブ１にねじ込まれるタイプの竜頭にも、そして、図４及び５に示すようなチューブ１上にねじ込まれない竜頭にも、同様に関連する。
【符号の説明】
【００４８】
１  チューブ
５  キャップ
６  カバー
７  軸方向の裾部
８  パイプ
１４  シーリングガスケット
１５  スペーサー
１８  ガイドリング
１９  支え面
２０  側面
２２  外面
２３  ガイド面
２４  ガイドコンジット
【図１】
2018031774.tif 000003
【図２】
2018031774.tif 000004
【図３】
2018031774.tif 000005
【図４】
2018031774.tif 000006
【図５】
2018031774.tif 000007